(57)【要約】      （修正有）【課題】極めて簡単な構造により、取付台板の外周部まで光装飾することが可能なパチンコ機の入賞装置を提供する。【解決手段】取付台板１１に、ＬＥＤ基板２１のＬＥＤ２２から照射される光の光路ａを当該取付台板１１の外周方向に向かって反射するプリズム部２３を当該取付台板１１の外周のやや内側寄りに一体形成し、プリズム部２３より外側の当該取付台板１１をプリズム部２３で反射された光を散乱する周辺散乱部としたので、取付台板１１の周辺部を均一に光装飾することができる。この場合、プリズム部２３を取付台板１１と一体形成するだけの簡単な構造で取付台板１１の周辺部を均一に光装飾することができると共に、ＬＥＤ２２が設けられるＬＥＤ基板２１を従来と同じように取付台板１１の後方に対面して配置できるので、ＬＥＤ基板２１の配置箇所が大きく制約されることもないし、入賞装置１０の形状も大きく制約されることもない。【選択図】図２
2012061192.tif 000002
【特許請求の範囲】
【請求項１】
遊技盤の盤面に取り付けられる取付台板を有し、その取付台板に前記遊技盤の遊技領域を転動する遊技球を受け入れるための玉受口又は開閉部材が設けられたパチンコ機の入賞装置において、
該入賞装置は、前記取付台板の後方に複数のＬＥＤが実装されたＬＥＤ基板が配置され、
前記取付台板には、前記ＬＥＤ基板のＬＥＤから照射される光の光路を当該取付台板の外周方向に向かって反射するプリズム部を当該取付台板の外周のやや内側寄りに一体形成し、前記プリズム部より外側の当該取付台板を前記プリズム部で反射された光を散乱する周辺散乱部としたことを特徴とするパチンコ機の入賞装置。
【請求項２】
前記プリズム部は、前記ＬＥＤ基板のＬＥＤから照射される光の光路を当該取付台板の外周方向に向かって反射する傾斜面を有する三角形状の開口溝が当該取付台板の前面に開口することにより一体形成されると共に、該開口溝が前記取付台板の外周のやや内側寄りに周回するように形成されていることを特徴とする請求項１記載のパチンコ機の入賞装置。
【発明の詳細な説明】
【技術分野】
【０００１】
本発明は、遊技盤の盤面に取り付けられる取付台板を有し、その取付台板に前記遊技盤の遊技領域を転動する遊技球を受け入れるための玉受口又は開閉部材が設けられたパチンコ機の入賞装置に関するものである。
【背景技術】
【０００２】
従来、パチンコ機の遊技盤の盤面に取付台板によって取り付けられる入賞装置においては、透過性の合成樹脂によって成形された取付台板の後方側からランプやＬＥＤ等の照明装置によって照明することにより、光装飾効果を高めるものが数多く市場に提供されている。このような入賞装置においては、主として取付台板の中央部分を光装飾するものであるが、取付台板の周辺部を光装飾する入賞装置も提案されつつある（特許文献１）。
【先行技術文献】
【特許文献】
【０００３】
【特許文献１】特開２００９−２０２０２９号公報（段落００３１〜００３６及び図４）
【発明の概要】
【発明が解決しようとする課題】
【０００４】
上記した特許文献１に開示される技術は、取付台板の周辺部まで光を透過するために、取付台板の遊技盤の盤面と接する側の取付面に、多数の半円形状の凹部が連続した導光部を形成する必要があるため、取付台板の設計が複雑化するという欠点がある。また、導光部に対して光の光軸が盤面と平行となるようにＬＥＤを配置する必要があるため、ＬＥＤが実装されるＬＥＤ基板の入賞装置内での配置箇所や入賞装置の形状が大きく制約されるという欠点がある。
【０００５】
本発明は、上記した事情に鑑みなされたもので、その目的とするところは、極めて簡単な構造により、取付台板の外周部まで光装飾することが可能なパチンコ機の入賞装置を提供することにある。
【課題を解決するための手段】
【０００６】
上記した課題を解決するために、請求項１に係る発明が採用した構成を図面を参照して説明すると、図３に示すように、遊技盤の盤面に取り付けられる取付台板１１を有し、その取付台板１１に前記遊技盤の遊技領域を転動する遊技球を受け入れるための玉受口１３又は開閉部材（開閉羽根１９）が設けられたパチンコ機の入賞装置１０において、該入賞装置１０は、前記取付台板１１の後方に複数のＬＥＤ２２が実装されたＬＥＤ基板２１が配置され、前記取付台板１１の後面には、前記ＬＥＤ基板２１のＬＥＤ２２から照射される光の光路ａを当該取付台板１１の外周方向に向かって反射するプリズム部２３を当該取付台板１１の外周のやや内側寄りに一体形成し、前記プリズム部２３より外側の当該取付台板１１を前記プリズム部２３で反射された光を散乱する周辺散乱部２４としたことを特徴とする。
【０００７】
また、請求項２に係る発明が採用した構成を図面を参照して説明すると、図２及び図３に示すように、請求項１に記載されるパチンコ機の入賞装置１において、前記プリズム部２３は、前記ＬＥＤ基板２１のＬＥＤ２２から照射される光の光路ａを当該取付台板１１の外周方向に向かって反射する傾斜面を有する三角形状の開口溝２３が当該取付台板１１の前面に開口することにより一体形成されると共に、該開口溝２３を前記取付台板１１の外周のやや内側寄りに周回するように形成されていることを特徴とする。
【発明の効果】
【０００８】
請求項１に係る発明においては、取付台板１１に、ＬＥＤ基板２１のＬＥＤ２２から照射される光の光路ａを当該取付台板１１の外周方向に向かって反射するプリズム部２３を当該取付台板１１の外周のやや内側寄りに一体形成し、プリズム部２３より外側の当該取付台板１１をプリズム部２３で反射された光を散乱する周辺散乱部２４としたので、取付台板１１の周辺部を均一に光装飾することができる。この場合、プリズム部２３を取付台板１１と一体形成するだけの簡単な構造で取付台板１１の周辺部を均一に光装飾することができると共に、取付台板１１に一体形成されるプリズム部２３が取付台板１１の後方から照射される光を取付台板１１の周辺部に向かって折曲誘導するため、ＬＥＤ２２が設けられるＬＥＤ基板２１を従来と同じように取付台板１１の後方に対面して配置できるので、ＬＥＤ基板２１の配置箇所が大きく制約されることもないし、入賞装置１０の形状も大きく制約されることもない。
【０００９】
また、請求項２に係る発明においては、プリズム部２３は、ＬＥＤ基板２１のＬＥＤ２２から照射される光の光路ａを当該取付台板１１の外周方向に向かって反射する傾斜面を有する三角形状の開口溝２３が当該取付台板１１の前面に開口することにより一体形成されると共に、該開口溝２３を取付台板１１の外周のやや内側寄りに周回するように形成されているので、取付台板１１の周辺部を全周に亘って均一に光装飾することができる。
【図面の簡単な説明】
【００１０】
【図１】遊技盤が取り付けられた遊技盤取付枠の正面図である。
【図２】遊技盤の取り付けられる電チュー式入賞装置の正面から見た斜視図である。
【図３】電チュー式入賞装置の正面図（Ａ）、該正面図におけるＡ−Ａ線断面図（Ｂ）、該断面図におけるＢ部の拡大図（Ｃ）である。
【図４】電チュー式入賞装置の取付台板以外の部材のうち特に上部玉誘導路部を光装飾するための構成及び開閉羽根を開閉するための構成のみを示す平面図（Ａ）、該平面図のＡ−Ａ線断面図（Ｂ）、該平面図のＢ−Ｂ線断面図（Ｃ）である。
【図５】電チュー式入賞装置の取付台板以外の部材のうち開閉羽根を光装飾するための構成及び開閉部材を開閉するための構成のみを示す平面図（Ａ）、該平面図のＡ−Ａ線断面図（Ｂ）である。
【図６】電チュー式入賞装置の開閉羽根を閉状態としたときの開閉羽根とソレノイドとの関係を示す正面図（Ａ）、側面図（Ｂ）である。
【図７】電チュー式入賞装置の開閉羽根を開状態としたときの開閉羽根とソレノイドとの関係を示す正面図（Ａ）、側面図（Ｂ）である。
【図８】遊技盤の取り付けられる開閉扉式入賞装置の正面から見た斜視図である。
【図９】開閉扉式入賞装置の正面図（Ａ）、該正面図におけるＡ−Ａ線断面図（Ｂ）、該断面図におけるＢ部の拡大図（Ｃ）である。
【図１０】開閉扉式入賞装置の開閉扉を光装飾するための構成及び開閉扉を開閉するための構成のみを示す正面図（Ａ）、平面図（Ｂ）である。
【図１１】開閉扉式入賞装置の開閉扉を閉状態としたときの開閉扉とソレノイドとの関係を示す平面図（Ａ）、側面図（Ｂ）である。
【図１２】開閉扉式入賞装置の開閉扉を開状態としたときの開閉扉とソレノイドとの関係を示す平面図（Ａ）、側面図（Ｂ）である。
【発明を実施するための形態】
【００１１】
以下、図面を参照して、本発明の実施形態について説明する。図１は、遊技盤２が取り付けられた遊技盤取付枠１の正面図である。図において、パチンコ機の遊技盤取付枠１には、ほぼ正方形状に構成される遊技盤２が着脱自在に取り付けられている。遊技盤２は、周知のように、発射装置によって打ち出された遊技球を誘導する誘導レールが設けられ、該誘導レールに囲まれるほぼ円形状の範囲が遊技領域を構成している。そして、遊技盤２の遊技領域には、図柄表示装置（図示しない）、電チュー式入賞装置１０、開閉式入賞装置５０、入賞口（図示しない）等の役物や、遊技球を不規則に落下させる障害釘（図示しない）等が設けられている。図示のうち、電チュー式入賞装置１０や開閉式入賞装置５０が本発明に係るパチンコ機の入賞装置を構成するものである。以下、入賞装置としての電チュー式入賞装置１０、開閉式入賞装置５０を順次説明する。なお、図２に示す電チュー式入賞装置１０や開閉式入賞装置５０の配置位置は、図示の位置に限らず、遊技盤の構成によって任意の位置に配置し得るものである。
【００１２】
先ず、図２乃至図７を参照して電チュー式入賞装置１０について説明する。図２は、遊技盤の取り付けられる電チュー式入賞装置の正面から見た斜視図であり、図３は、電チュー式入賞装置の正面図（Ａ）、該正面図におけるＡ−Ａ線断面図（Ｂ）、該断面図におけるＢ部の拡大図（Ｃ）であり、図４は、電チュー式入賞装置の取付台板以外の部材のうち特に上部玉誘導路部を光装飾するための構成及び開閉羽根を開閉するための構成のみを示す平面図（Ａ）、該平面図のＡ−Ａ線断面図（Ｂ）、該平面図のＢ−Ｂ線断面図（Ｃ）であり、図５は、電チュー式入賞装置の取付台板以外の部材のうち開閉羽根を光装飾するための構成及び開閉部材を開閉するための構成のみを示す平面図（Ａ）、該平面図のＡ−Ａ線断面図（Ｂ）であり、図６は、電チュー式入賞装置の開閉羽根を閉状態としたときの開閉羽根とソレノイドとの関係を示す正面図（Ａ）、側面図（Ｂ）であり、図７は、電チュー式入賞装置の開閉羽根を開状態としたときの開閉羽根とソレノイドとの関係を示す正面図（Ａ）、側面図（Ｂ）である。
【００１３】
図２において、電チュー式入賞装置１０は、取付穴４５によって遊技盤２の盤面に取り付けられる取付台板１１を有し、その取付台板１１の上部中央に遊技球を受け入れる玉受口１３を構成するＵ字形状の上部玉誘導路部１２が取付台板１１の前後を貫通するように取り付けられている。上部玉誘導路部１２の前面に受口前面装飾板１４が取り付けられ、上部玉誘導路１２の後端に接続するように玉受口１３に受け止められて入賞した遊技球を側方に向かって誘導する上部後方玉誘導路部材１５が取り付けられている。また、取付台板１１の下部中央の前面に下方玉受部１６が一体的に取り付けられ、取付台板１１の下部中央の後面に下方玉誘導路部１８が取り付けられている。下方玉受部１６の前面には下方玉受部前面装飾板１７が取り付けられ、その下方玉受部前面装飾板１７と取付台板１１との間に開閉部材としての一対の開閉羽根１９が開状態と閉状態とに変化するように設けられている。開閉羽根１９は、ソレノイド２０によって開閉駆動されるものである。その詳細な構造は、後に詳述する。
【００１４】
本実施形態において、上記した取付台板１１、上部玉誘導路部１２、受口前面装飾板１４及び開閉羽根１９は、透光性を有する透明な合成樹脂（例えば、ポリカーボネイト）によって成形されており、後に詳説するように、ＬＥＤから照射された光によって光装飾効果を発揮できるようになっている。また、受口前面装飾板１４の表面には、インクジェットによりカラー印刷されているが、そのドットの密度を一般的な密度よりも粗にすることにより光の透過率を高めるような工夫がされている。また、開閉羽根１９により受け入れられた遊技球は、下方玉受部１６から下方玉誘導路部１８に導かれて電チュー式入賞装置１０から排出されるようになっている。このため、下方玉受部１６と下方玉誘導部１８とは、連続下り傾斜するように取付台板１１の前後面に取り付けられる（一体成型でも良い）が、取付台板１１には、遊技球が通過する開口が形成されている。
【００１５】
また、電チュー式入賞装置１０には、上記した以外の構成として、取付台板１１の周辺部を光装飾するための複数のＬＥＤ２２が実装された第１ＬＥＤ基板２１と、Ｕ字状の上部玉誘導路部１２を光装飾するためのＬＥＤ２６が実装された第２ＬＥＤ基板２５と、開閉羽根１９を光装飾するためのＬＥＤ２９（図５参照）が実装された第３ＬＥＤ基板２８とが、取付台板１１の後面側に当該取付台板１１と平行となる位置に設けられている。以下、各部材を光装飾するための構成について説明する。
【００１６】
まず、取付台板１１を光装飾するための構成について図２及び図３を参照して説明する。取付台板１１の後方の所定間隔を置いて第１ＬＥＤ基板２１が設けられている。この第１ＬＥＤ基板２１の前面には、所定間隔を置いて複数のＬＥＤ２２が周設実装されている。そして、この複数のＬＥＤ２２に対応する前方位置にプリズム部としてのプリズム部用開口溝２３が位置する。プリズム部用開口溝２３は、図３（Ｃ）に示すように、ＬＥＤ基板２１のＬＥＤ２２から照射される光の光路ａを当該取付台板１１の外周方向に向かって反射する傾斜面を有する断面三角形状のプリズム部用開口溝２３が当該取付台板１１の前面に開口することにより一体形成されると共に、図２及び図３（Ａ）に示すように、プリズム部用開口溝２３が取付台板１１の外周のやや内側寄りに周回するように形成されている。なお、プリズム部用開口溝２３の傾斜面の反射率を高めるために、当該傾斜面に反射用塗料を塗布することが望ましい。
【００１７】
また、取付台板１１のプリズム部用開口溝２３の外周側は、プリズム部用開口溝２３で反射された光を散乱する周辺散乱部２４とされる。したがって、周辺散乱部２４は、取付台板１１のほぼ全周（図３（Ａ）に示すように、受口前面装飾板１４の上辺部及び下方玉受部前面装飾板１７の下辺部を除く全周）に形成されている。なお、周辺散乱部２４の反射率を高めるために、周辺散乱部２４の遊技盤２の盤面と当接する面に反射用塗料を塗布することが望ましい。
【００１８】
上記したように、本実施形態においては、取付台板１１に、ＬＥＤ基板２１のＬＥＤ２２から照射される光の光路ａを当該取付台板１１の外周方向に向かって反射するプリズム部用開口溝２３を当該取付台板１１の外周のやや内側寄りに一体形成し、プリズム部用開口溝２３より外側の当該取付台板１１をプリズム部用開口溝２３で反射された光を散乱する周辺散乱部２４としたので、取付台板１１の周辺部を均一に光装飾することができる。この場合、プリズム部用開口溝２３を取付台板１１と一体形成するだけの簡単な構造で取付台板１１の周辺部を均一に光装飾することができると共に、取付台板１１に一体形成されるプリズム部用開口溝２３が取付台板１１の後方から照射される光を取付台板１１の周辺部に向かって折曲誘導するため、ＬＥＤ２２が設けられるＬＥＤ基板２１を従来と同じように取付台板１１の後方に対面して配置できるので、ＬＥＤ基板２１の配置箇所が大きく制約されることもないし、入賞装置１０の形状も大きく制約されることもない。特に、プリズム部用開口溝２３が取付台板１１の外周のやや内側寄りに周回するように形成されているので、取付台板１１の周辺部を全周に亘って均一に光装飾することができる。
【００１９】
次に、上部玉誘導路部１２及び受口前面装飾板１４を光装飾するための構成について、図４を参照して説明する。図４において、Ｕ字状に形成される上部玉誘導路部１２の後端には、図４（Ｃ）に示すように、通路面を上端として後方に向かう傾斜面を有する複数のプリズム部２７が所定間隔を置いて形成されており、その複数のプリズム部２７の外側位置に各プリズム部２７にそれぞれ対応する複数のＬＥＤ２６が実装される第２ＬＥＤ基板２５が取り付けられている。この第２ＬＥＤ基板２５に実装されるＬＥＤ２６は、サイド発光タイプのＬＥＤ２６であり、該ＬＥＤ２６で照射された光がプリズム部２７の傾斜面に反射されて透過性の合成樹脂で形成される上部玉誘導路部１２の内部を前方に向かって進む光路ｂ（図４（Ｂ）参照）となる。このため、Ｕ字状に形成される上部玉誘導路部１２の前端面及びこれに当接する受口前面装飾板１４がＬＥＤ２６に照射されて光装飾効果を奏することとなる。この場合において、受口前面装飾板１４は、前述したように、その表面装飾がインクジェットによりカラー印刷されているが、そのドットの密度を一般的な密度よりも粗にすることにより光の透過率を高めるような工夫がされているので、受口前面装飾板１４の光による装飾効果は従来に比し鮮やかに視認することができる。なお、プリズム部２７の傾斜面には、前記と同様に、傾斜面の反射率を高めるために当該傾斜面に反射用塗料を塗布することが望ましい。
【００２０】
次に、開閉部材としての開閉羽根１９を光装飾するための構成について、図５を参照して説明する。開閉羽根１９は、該開閉羽根１９の下端部に後方に向かって一体的に突設される回転軸３１を取付台板１１に遊嵌することによって当該取付台板１１に回転自在に軸支される。開閉羽根１９は、前述したようにソレノイド２０によって開状態と閉状態とに変化可能に構成されるものであるが、この開閉動作をするために、回転軸３１の外側やや上方に開閉羽根１９の後方に向かって突設される連係ピン３２とソレノイド２０とを、後述する第１リンク部材３４及び第２リンク部材４０とで連係した構造となっている。また、回転軸３１の後端部には、誘導用プリズム体３０の先端面３０ａと対面し、その誘導用プリズム体３０の後端面が第３ＬＥＤ基板２８に実装されたＬＥＤ２９と対面するようになっている。第３ＬＥＤ基板２８は、電チュー式入賞装置１０の最も後方に位置するソレノイド２０のやや前方位置に設けられるものである。このため、第３ＬＥＤ基板２８のＬＥＤ２９と開閉羽根１９の回転軸３１とを結ぶ誘導用プリズム体３０は、電チュー式入賞装置１０の左右両側方において、まずＬＥＤ２９から前方に向かって直線状に延設されてから第１傾斜面部分から内側に向かって折曲延設され、更に第２傾斜面部分から下方に向かって折曲延設された後に第３傾斜面部分から前方に向かって先端面３０ａに達するように折曲延設されるように構成されている。このような折曲構造は、開閉羽根１９の開閉動作を伝達するリンク部材３４，４０の作動の邪魔とならないように採用されたものである。そして、ＬＥＤ２９から照射された光が誘導用プリズム体３０の上記した第１傾斜面〜第３傾斜面で反射されて回転軸３１に導く光路ｃ（図５（Ａ）参照）となって開閉羽根１９に到達する。このため、透光性の合成樹脂で成形される開閉羽根１９がＬＥＤ２９に照射されて光装飾効果を奏することとなる。なお、回転軸３１は、ＬＥＤ２９から発せられた光を開閉羽根１９に導入するための機能も有する光導入回転軸３１となっている。また、誘導用プリズム体３０に形成される第１傾斜面乃至第３傾斜面の外側面には、傾斜面の反射率を高めるために当該傾斜面に反射用塗料を塗布することが望ましい。
【００２１】
更に、図５、図６及び図７を参照して開閉羽根１９の動作について説明する。図６において、一対の開閉羽根１９の後端には、前述したように光導入回転軸３１と連係ピン３２とが後方に向かって突設され、そのうち連係ピン３２は、図２に示すように取付台板１１に開設された円弧状の貫通孔３３を貫通して取付台板１１の後面側に突出している。連係ピン３２には、電チュー式入賞装置１０の後方側の中程に軸支される回転軸３５を中心として揺動する第１リンク部材３４の先端部に形成されるコ字状係合部３６に係合されている。なお、回転軸３５の両端に一対の第１リンク部材３４が回転自在に軸支されている。各第１リンク部材３４は、回転軸３５よりも後方の部分が下方に向かって折曲された後方垂直片部となっており、その後方垂直片部の上方に一対の第１リンク部材３４を連結する係合連結杆３７が差し渡されている（図５（Ａ）、（Ｂ）参照）。また、後方垂直片部の下端に内側方向に向かって突設される係合片３８が形成されている。この係合片３８は、ソレノイド２０のプランジャ３９に固定される第２リンク部材４０の前方下部に形成される切欠凹部４２に係脱するものである。ソレノイド２０に固定される第２リンク部材４０は、ソレノイド２０のプランジャ３９の上下動に伴って上下動するように当該プランジャ３９に固定されており、その前端上部に係合連結杆３７を遊嵌する係合溝４１（図５（Ｂ）参照）が形成されていると共に、その前端下部に第１リンク部材３４の係合片３８と係脱する切欠凹部４２が形成されている。なお、開閉羽根１９が閉じた状態において、係合連結杆３７と係合溝４１との遊嵌状態においては、図５（Ｂ）に示すように、下方に僅かなクリアランスが生じており、また、係合連結杆３７と第１リンク部材３４の後方垂直片部との連結状態においては、図６（Ｂ）に示すように、上方に僅かなクリアランスが生じるような長孔によって連結されている。
【００２２】
上記した構成からなる開閉羽根１９の開閉構造において、ソレノイド２０が励磁されない状態においては、図６（Ｂ）に示すように、ソレノイド２０のプランジャ３９が下方に下がった状態であるため、第２リンク部材４０も下降した状態となっており、この状態では、係合溝４１と係合連結杆３７との係合により第１リンク部材３４の後端側が押し下げられた状態となっていると共に、第１リンク部材３４の後端下部に突設される係合片３８が第２リンク部材４０の切欠凹部４２の外側にあって第２リンク部材４０の前端部と当接した状態となっている。また、第１リンク部材３４の前端側のコ字状係合部３６が上昇した位置（上昇した位置といっても第１リンク部材３４がほぼ水平状態となっている位置）となっており、そのコ字状係合部３６と連係ピン３２との係合により、開閉羽根１９が連係ピン３２よりも下方且つ内側に位置する光導入回転軸３１を中心として、図６（Ａ）に示すように、開閉羽根１９が起立した位置に回動された状態、即ち、閉状態となっている。
【００２３】
次に、ソレノイド２０が励磁された状態においては、ソレノイド２０のプランジャ３９が上昇すると第２リンク部材４０も上昇する。この上昇の初期段階においては、係合連結杆３７と係合溝４１及び第１リンク部材３４の長孔との間にクリアランスがあるため、第２リンク部材４０だけが僅かに上昇し、クリアランスがなくなったときに係合連結杆３７によって第１リンク部材３４の回転軸３５よりも後方部分が押し上げられる。このとき（クリアランスがなくなった時点）、第２リンク部材４０の切欠凹部４２も僅かに上昇しているので、第１リンク部材３４の後部下端の係合片３８が切欠凹部４２内に侵入し得るようになっているので、係合連結杆３７によって第１リンク部材３４の回転軸３５よりも後方部分が押し上げられたときに、第１リンク部材３４が図７（Ｂ）に示すように反時計方向に回転して第１リンク部材３４の先端のコ字状係合部３６を押し下げる。コ字状係合部３６が押し下げられると、コ字状係合部３６によって連係ピン３２に対し押し下げる力が作用するため、開閉羽根１９が光導入回転軸３１と中心にして開閉羽根１９の先端が外側に向かって回動した状態、即ち、開状態となる。
【００２４】
上記したように、ソレノイド２０の励磁・非励磁により、開閉羽根１９の開閉動作が行われるが、図示の実施形態の場合においては、ソレノイド２０の励磁によるのではなく、不正な手段で強制的に開閉羽根１９を開状態にしようとしてもできない構造となっている。即ち、閉じた状態にある開閉羽根１９を不正な手段で強制的に開放しようとすると、図６（Ｂ）に示すように、連係ピン３２を介して第１リンク部材３４を反時計方向に回動しようとする作用が働く。しかし、第１リンク部材３４の後部下端の係合片３８が下降した位置にある第２リンク部材４０の切欠凹部４２の僅かに上部の前端面に当接した状態となっているので、第１リンク部材３４が反時計方向に回動しないため、開閉羽根１９を開状態とすることはできない。つまり、不正な手段によって開閉羽根１９を開状態とすることはできないようになっている。
【００２５】
以上、遊技盤２に設けられる電チュー式入賞装置１０の構成・作用について説明してきたが、遊技盤２に設けられる他の入賞装置である開閉扉式入賞装置５０について図８乃至図１２を参照して説明する。図８は、遊技盤の取り付けられる開閉扉式入賞装置５０の正面から見た斜視図であり、図９は、開閉扉式入賞装置５０の正面図（Ａ）、該正面図におけるＡ−Ａ線断面図（Ｂ）、該断面図におけるＢ部の拡大図（Ｃ）であり、図１０は、開閉扉式入賞装置５０の開閉扉５３を光装飾するための構成及び開閉扉５３を開閉するための構成のみを示す正面図（Ａ）、平面図（Ｂ）であり、図１１は、開閉扉式入賞装置５０の開閉扉５３を閉状態としたときの開閉扉５３とソレノイド５４との関係を示す平面図（Ａ）、側面図（Ｂ）であり、図１２は、開閉扉式入賞装置の開閉扉を開状態としたときの開閉扉とソレノイドとの関係を示す平面図（Ａ）、側面図（Ｂ）である。
【００２６】
図８において、開閉扉式入賞装置５０は、四隅に形成された取付穴７５によって遊技盤２の盤面に取り付けられるほぼ長方形状の取付台板５１を有し、その取付台板５１のほぼ中央に遊技球を受け入れるために長方形状に形成される入賞開口５２が開設され、該入賞開口５２を開閉する開閉部材としての開閉扉５３が開状態と閉状態とに変化するように設けられている。開閉扉５３は、ソレノイド５４によって開閉駆動されるものである。その詳細な構造は、後に詳述する。
【００２７】
本実施形態において、上記した取付台板５１及び開閉扉５３は、透光性を有する透明な合成樹脂（例えば、ポリカーボネイト）によって成形されており、後に詳説するように、ＬＥＤから照射された光によって光装飾効果を発揮できるようになっている。また、開閉扉式入賞装置５０には、上記した以外の構成として、取付台板５１の周辺部及び開閉扉５３を光装飾するための複数のＬＥＤ５６が実装されたＬＥＤ基板５５が設けられている。以下、各部材を光装飾するための構成について説明する。
【００２８】
まず、取付台板５１を光装飾するための構成について図８及び図９を参照して説明する。取付台板５１の後方の所定間隔を置いてＬＥＤ基板５５が設けられている。このＬＥＤ基板５５の前面には、所定間隔を置いて複数のＬＥＤ５６が周設実装されている。そして、この複数のＬＥＤ５６に対応する前方位置にプリズム部としてのプリズム部用開口溝５７が位置する。プリズム部用開口溝５７は、図９（Ｃ）に示すように、ＬＥＤ基板５５のＬＥＤ５６から照射される光の光路ｄを当該取付台板５１の外周方向に向かって反射する傾斜面を有する断面三角形状のプリズム部用開口溝５７が当該取付台板５１の前面に開口することにより一体形成されると共に、図８及び図９（Ａ）に示すように、プリズム部用開口溝５７が取付台板５１の外周のやや内側寄りに周回するように形成されている。なお、プリズム部用開口溝５７の傾斜面の反射率を高めるために、当該傾斜面に反射用塗料を塗布することが望ましい。
【００２９】
また、取付台板５１のプリズム部用開口溝５７の外周側は、プリズム部用開口溝５７で反射された光を散乱する周辺散乱部５８とされる。したがって、周辺散乱部５８は、取付台板５１の全周に形成されている。なお、周辺散乱部５８の反射率を高めるために、周辺散乱部５８の遊技盤２の盤面と当接する面に反射用塗料を塗布することが望ましい。
【００３０】
上記したように、本実施形態においては、取付台板５１に、ＬＥＤ基板５５のＬＥＤ５６から照射される光の光路ｄを当該取付台板５１の外周方向に向かって反射するプリズム部用開口溝５７を当該取付台板５１の外周のやや内側寄りに一体形成し、プリズム部用開口溝５７より外側の当該取付台板５１をプリズム部用開口溝５７で反射された光を散乱する周辺散乱部５８としたので、取付台板５１の周辺部を均一に光装飾することができる。この場合、プリズム部用開口溝５７を取付台板５１と一体形成するだけの簡単な構造で取付台板５１の周辺部を均一に光装飾することができると共に、取付台板５１に一体形成されるプリズム部用開口溝５７が取付台板５１の後方から照射される光を取付台板５１の周辺部に向かって折曲誘導するため、ＬＥＤ５６が設けられるＬＥＤ基板５５を従来と同じように取付台板５１の後方に対面して配置できるので、ＬＥＤ基板５５の配置箇所が大きく制約されることもないし、開閉扉式入賞装置５０の形状も大きく制約されることもない。特に、プリズム部用開口溝５７が取付台板５１の外周のやや内側寄りに周回するように形成されているので、取付台板５１の周辺部を全周に亘って均一に光装飾することができる。
【００３１】
次に、開閉部材としての開閉扉５３を光装飾するための構成について、図１０を参照して説明する。開閉扉５３は、該開閉扉５３の両下端部に側方に向かって一体的に突設される回転軸６０を取付台板５１に遊嵌することによって当該取付台板５１に回転自在に軸支される。開閉扉５３は、前述したようにソレノイド５４によって開状態と閉状態とに変化可能に構成されるものであるが、この開閉動作をするために、一方の回転軸６０の開閉扉５３の側壁に形成される係合切欠６３とソレノイド５４とを、後述する第１リンク部材６１、第２リンク部材６５、第３リンク部材６８及び第４リンク部材７１とで連係した構造となっている。また、回転軸６０の側端部は、誘導用プリズム体５９の先端面と対面し、その誘導用プリズム体５９の後端面がＬＥＤ基板５５に実装されたＬＥＤ５６と対面するようになっている。ＬＥＤ基板５５のＬＥＤ５６と開閉扉５３の回転軸６０とを結ぶ誘導用プリズム体５９は、ＬＥＤ５６から照射された光の光路ｅ（図１０（Ｂ）参照）が階段状に進むように傾斜面が形成される段差状部材として構成されている。そして、ＬＥＤ５６から照射された光が誘導用プリズム体５９の複数の傾斜面で反射されて回転軸６０に導く光路ｅとなって開閉扉５３に到達して該開閉扉内で全反射しながら遊技者側に視認できるようになっている。このため、透光性の合成樹脂で成形される開閉扉５３がＬＥＤ５３に照射されて光装飾効果を奏することとなる。なお、回転軸６０は、ＬＥＤ５６から発せられた光を開閉扉５３に導入するための機能も有する光導入回転軸６０となっている。また、誘導用プリズム体５９に形成される複数の傾斜面の外側面及び開閉扉５３の裏面には、反射率を高めるために反射用塗料を塗布することが望ましい。
【００３２】
次に、図１１及び図１２を参照して開閉扉５３の動作について説明する。図１１において、開閉扉５３の一方の回転軸６０側の側壁には、前述したように係合切欠６３が形成されている。係合切欠６３には、回転軸６２を中心として回動するＬ字形状の第１リンク部材６１のＬ字の長辺部が係合するように挿入されている。また、第１リンク部材６１のＬ字の短辺部に係合突起６４が回転軸と平行状となるように突設されている。第１リンク部材６１の係合突起６４は、へ字状に形成される第２リンク部材６５の先端部に形成されるＵ字状の係合溝６６に係合される。第２リンク部材６５の他端は、回転軸６９により回転自在に軸支される第３リンク部材６８に連結ピン６７で連結されている。第３リンク部材６８は、逆Ｌ字状の板状に形成され、Ｌ字の一方の辺の端部を回転軸６９によって回転自在に軸支され、その一方の辺の先端からほぼ上方に延設される他方の辺の該辺に沿った長孔状の係合孔７０が開設され、その係合孔７０にソレノイド５４のプランジャ７３に固定された第４リンク部材７１に突設される係合ピン７２が嵌合されている。なお、第２リンク部材６５の連結ピン６７による第３リンク部材６８への連結位置は、回転軸６９に隣接する位置である。
【００３３】
上記した構成からなる開閉扉５３の開閉構造において、ソレノイド５４が励磁されない状態においては、図１１（Ｂ）に示すように、ソレノイド５４のプランジャ７３が前方に押し出された状態であるため、第４リンク部材７１も前方に位置した状態となっており、この状態では、係合ピン７２と係合孔７０との係合により第３リンク部材６８を時計回転方向に回動した所定位置で停止しており、この第３リンク部材６８に連結される第２リンク部材６５も前方に位置し、このため、第２リンク部材６５の係合溝６６と係合する係合突起６４が前方に押し出されて第１リンク部材６１は回転軸６２を中心にして時計回転方向に回動した所定位置で停止している。そして、第１リンク部材６１の長辺によって開閉扉５３の係合切欠６３の下端部が押圧されるので、開閉扉５３が回動軸６０を中心として、図１１（Ａ）、（Ｂ）に示すように、開閉扉５３が起立した位置に回動された状態、即ち、閉状態となっている。
【００３４】
次に、ソレノイド５４が励磁された状態においては、ソレノイド５４のプランジャ７３が後方に引き込まれると第４リンク部材７１も引き込まれる。第４リンク部材７１が引き込まれると、係合ピン７２と係合孔７０との係合により、第３リンク部材６８が回転軸６９を中心に反時計方向に回動し、この第３リンク部材６８に連結される第２リンク部材６５も引き込まれ、係合突起６４と係合溝６６との係合により第１リンク部材６１も回転軸６２を中心に反時計方向に回動する。すると、第１リンク部材６１の長辺部分による係合切欠６３への下方への押し下げがなくなるため、開閉扉５３が回動軸６０を中心にして自重により前方に回動した状態、即ち、開状態となる。
【００３５】
上記したように、ソレノイド５４の励磁・非励磁により、開閉扉５３の開閉動作が行われるが、図示の実施形態の場合においては、ソレノイド５４の励磁によるのではなく、不正な手段で強制的に開閉扉５３を開状態にしようとしてもできない構造となっている。即ち、閉じた状態にある開閉扉５３を不正な手段で強制的に開放しようとすると、図１１（Ｂ）に示すように、第１リンク部材６１を介して第２リンク部材６５を図示の左方向に移動させようとする作用が働く。しかし、第２リンク部材６５が「へ」字状となっているため、第２リンク部材６５と第３リンク部材６８とが連結する連結ピン６７への作用力は、「へ」字状の辺部に沿った左斜め下方向となり、このため、第３リンク部材６８を時計回転方向に回動する作用力となる。つまり、第４リンク部材７１を引き込む方向ではなく引き出す方向にしか作用しないため、開閉扉５３を開状態とすることはできない。つまり、不正な手段によって開閉扉５３を開状態とすることはできないようになっている。
【００３６】
以上、本発明の実施形態について説明してきたが、実施形態における入賞装置として電チュー式入賞装置１０及び開閉扉式入賞装置５０を例示して説明したが、取付台板を有する入賞装置であればどのようなものでも良い。
【符号の説明】
【００３７】
２  遊技盤
１０  電チュー式入賞装置（入賞装置）
１１  取付台板
１３  玉受口
１９  開閉羽根（開閉部材）
２１  第１ＬＥＤ基板（ＬＥＤ基板）
２２  ＬＥＤ
２３  プリズム部用開口溝（プリズム部）
２４  周辺散乱部
５０  開閉式入賞装置（入賞装置）
５１  取付台板
５３  開閉扉（開閉部材）
５５  ＬＥＤ基板
５６  ＬＥＤ
５７  プリズム部用開口溝（プリズム部）
５８  周辺散乱部
【図１】
2012061192.tif 000003
【図２】
2012061192.tif 000004
【図３】
2012061192.tif 000005
【図４】
2012061192.tif 000006
【図５】
2012061192.tif 000007
【図６】
2012061192.tif 000008
【図７】
2012061192.tif 000009
【図８】
2012061192.tif 000010
【図９】
2012061192.tif 000011
【図１０】
2012061192.tif 000012
【図１１】
2012061192.tif 000013
【図１２】
2012061192.tif 000014